(57)【要約】      （修正有）【課題】排ガス導入口の高さと同じ位置に設けたノズルが排ガス導入口に向けて液体を放出する場合、液体が導入口からエンジンに向けて逆流すると、エンジンが壊れる可能性があり、排ガス導入口からエンジンへの液体の逆流を抑制する排ガス処理装置の提供。【解決手段】高さ方向に延伸する反応塔１０と、液体を搬送する幹管２０と、幹管から供給する液体を噴射する噴射部２４と、各々異なる高さ位置に設けた複数の枝管２２とを備え、反応塔は、排ガス導入口６２を底部側の側面に有し、複数の枝管の内高さ方向において排ガス導入口と同じ高さに位置し、排ガス導入方向６３に直交し且つ反応塔１０の中心軸を通る面よりも排ガス導入口側に位置する枝管２２−９Ｂで、排ガス導入口に対して液体を噴射する噴射部２４の噴射角度２５の中心で規定される主方向２６が、排ガス導入口から導入される排ガスの排ガス導入方向に対して９０度以下である排ガス処理装置。【選択図】図３
2019076799.tif 000002
【特許請求の範囲】
【請求項１】
排ガスを処理する排ガス処理装置であって、
排ガスが導入される底部側から排ガスが排出される上部側への高さ方向に延伸する内部空間を有する反応塔と、
前記反応塔の前記内部空間において前記高さ方向に延伸し、液体を搬送する幹管と、
前記幹管の外壁から前記反応塔の内壁に向けて延伸して設けられ、前記幹管から供給される液体を噴射する噴射部を各々有し、各々異なる高さ位置に設けられた、複数の枝管と
を備え、
前記反応塔は、排ガスを導入して前記反応塔の内面に沿って旋回上昇させる排ガス導入口を前記底部側の側面に有し、
前記複数の枝管のうち前記高さ方向において前記排ガス導入口と同じ高さに位置し、排ガス導入方向に直交し且つ前記反応塔の中心軸を通る面よりも前記排ガス導入口側に位置する枝管において、前記排ガス導入口に対して液体を噴射する前記噴射部の噴射角度の中心で規定される主方向が、前記排ガス導入口から導入される排ガスの前記排ガス導入方向に対して９０度以下である
排ガス処理装置。
【請求項２】
前記噴射部の前記主方向は、前記排ガス導入方向に対して４５度以下である
請求項１に記載の排ガス処理装置。
【請求項３】
前記高さ方向において前記排ガス導入口と同じ高さに位置する前記噴射部の密度は、前記高さ方向において前記排ガス導入口と異なる高さに位置する前記噴射部の密度よりも小さい
請求項１または２に記載の排ガス処理装置。
【請求項４】
前記幹管は、
最も前記上部側に位置する上部幹管と、
最も前記底部側に位置する下部幹管と
を有し、
前記下部幹管に設けられた枝管における前記噴射部から噴射される液体の液滴の粒径は、前記上部幹管に設けられた枝管における前記噴射部から噴射される液体の液滴の粒径よりも大きく、
前記高さ方向において前記排ガス導入口と同じ高さに位置する前記枝管は、前記下部幹管に設けられる
請求項１から３のいずれか一項に記載の排ガス処理装置。
【請求項５】
前記幹管は、前記上部幹管と前記下部幹管との間に中部幹管を有し、
前記中部幹管に設けられた枝管における前記噴射部から噴射される液体の液滴の粒径は、前記下部幹管に設けられた枝管における前記噴射部から噴射される液体の液滴の粒径よりも小さく、かつ、前記上部幹管に設けられた枝管における前記噴射部から噴射される液体の液滴の粒径よりも大きい
請求項４に記載の排ガス処理装置。
【請求項６】
前記中部幹管に設けられた少なくとも１つの枝管が、前記高さ方向において前記排ガス導入口と同じ高さに位置し、
前記中部幹管に設けられた枝管において、前記排ガス導入口に対して液体を噴射する前記噴射部の噴射角度の中心で規定される前記主方向は、前記排ガス導入方向に対して０度以上１８０度以下である
請求項５に記載の排ガス処理装置。
【請求項７】
前記上部幹管に設けられた少なくとも１つの枝管が、前記高さ方向において前記排ガス導入口と同じ高さに位置し、
前記上部幹管に設けられた枝管において、前記排ガス導入口に対して液体を噴射する前記噴射部の噴射角度の中心で規定される前記主方向は、前記排ガス導入方向に対して０度以上１８０度以下である
請求項５または６に記載の排ガス処理装置。
【請求項８】
前記複数の枝管のうち最も前記底部側に位置する枝管は、前記排ガス導入口の前記底部側と前記上部側との中間位置よりも前記上部側に位置する
請求項１から７のいずれか一項に記載の排ガス処理装置。
【請求項９】
前記複数の枝管のうち最も前記底部側に位置する枝管における前記噴射部の前記主方向は、前記上部側に傾いている
請求項８に記載の排ガス処理装置。
【請求項１０】
前記複数の枝管のうち最も前記上部側に位置する枝管における前記噴射部の前記主方向は、前記底部側に傾いている
請求項８または９に記載の排ガス処理装置。
【請求項１１】
前記反応塔は、前記排ガス導入口の最も前記上部側に庇部を有する
請求項１から１０のいずれか一項に記載の排ガス処理装置。
【請求項１２】
前記庇部は、前記排ガス導入方向に延伸し、
上面から見た場合、前記庇部の少なくとも一部は、前記複数の枝管のうち前記庇部よりも上部側に位置する枝管と重なる
請求項１１に記載の排ガス処理装置。
【請求項１３】
前記庇部は、前記反応塔の前記内壁に接して設けられた外周領域を有し、
前記外周領域は、前記排ガス導入口の内側端部から外側端部に進むにつれて前記高さ方向の高さが増加する
請求項１１または１２に記載の排ガス処理装置。
【請求項１４】
前記反応塔の外側から前記排ガス導入口に接続する排ガス導入管をさらに備え、
前記排ガス導入管は、
前記反応塔の外形の接線方向に延伸する外側側面と、
前記外側側面に対向して設けられ、前記反応塔の外形と交差する方向に延伸する内側側面と
を有し、
前記内側側面は、前記反応塔の前記内部空間に突出しない
請求項１から１３のいずれか一項に記載の排ガス処理装置。
【請求項１５】
前記排ガス導入管は、
前記高さ方向に延伸する第１直線部と、
前記高さ方向に直交する直線部を含み、排ガスの流路において前記第１直線部と前記排ガス導入口との間に設けられる第２直線部と
を有する
請求項１４に記載の排ガス処理装置。
【発明の詳細な説明】
【技術分野】
【０００１】
本発明は、排ガス処理装置に関する。
【０００２】
従来、反応塔の側面に設けられた排ガス導入口から反応塔内部に導入した排ガスと、反応塔内部に設けられたノズルから噴射される液体とを気液接触させることにより、排ガス中の硫黄酸化物（ＳＯｘ）等を除去していた。
［先行技術文献］
［特許文献］
【０００３】
［特許文献１］特開平０６−１９０２４０号公報
［特許文献２］特開平０８−２８１０５５号公報
【発明の概要】
【発明が解決しようとする課題】
【０００４】
排ガス導入口の高さと同じ位置に設けられたノズルが排ガス導入口に向けて液体を放出する場合、ノズルから放出された液体が排ガス導入口からエンジンに向けて逆流することがある。液体がエンジンに入り込むとエンジンが壊れる可能性がある。それゆえ、排ガス導入口からエンジンへの液体の逆流を抑制することが望ましい。
【課題を解決するための手段】
【０００５】
本発明の第１の態様においては、排ガスを処理する排ガス処理装置を提供する。排ガス処理装置は、反応塔と、幹管と、複数の枝管とを備えてよい。反応塔は、高さ方向に延伸する内部空間を有してよい。高さ方向は、排ガスが導入される底部側から排ガスが排出される上部側への方向であってよい。幹管は、液体を搬送してよい。幹管は、反応塔の内部空間において高さ方向に延伸してよい。複数の枝管は、幹管の外壁から反応塔の内壁に向けて延伸して設けられてよい。複数の枝管は、噴射部を各々有してよい。複数の枝管は、各々異なる高さ位置に設けられてよい。噴射部は、幹管から供給される液体を噴射してよい。反応塔は、排ガスを導入して反応塔の内面に沿って旋回上昇させる排ガス導入口を底部側の側面に有してよい。複数の枝管のうち高さ方向において排ガス導入口と同じ高さに位置し、排ガス導入方向に直交し且つ反応塔の中心軸を通る面よりも排ガス導入口側に位置する枝管において、噴射部の主方向が、排ガス導入方向に対して９０度以下であってよい。主方向は、排ガス導入口に対して液体を噴射する噴射部の噴射角度の中心で規定されてよい。排ガス導入方向は、排ガス導入口から導入される排ガスの方向であってよい。
【０００６】
噴射部の主方向は、排ガス導入方向に対して４５度以下であってよい。
【０００７】
高さ方向において排ガス導入口と同じ高さに位置する噴射部の密度は、高さ方向において排ガス導入口と異なる高さに位置する噴射部の密度よりも小さくてよい。
【０００８】
幹管は、上部幹管と、下部幹管とを有してよい。上部幹管は、最も上部側に位置してよい。下部幹管は、最も底部側に位置してよい。下部幹管に設けられた枝管における噴射部から噴射される液体の液滴の粒径は、上部幹管に設けられた枝管における噴射部から噴射される液体の液滴の粒径よりも大きくてよい。複数の枝管のうち高さ方向において排ガス導入口と同じ高さに位置する枝管は、下部幹管に設けられてよい。
【０００９】
幹管は、上部幹管と下部幹管との間に中部幹管を有してよい。中部幹管に設けられた枝管における噴射部から噴射される液体の液滴の粒径は、下部幹管に設けられた枝管における噴射部から噴射される液体の液滴の粒径よりも小さくてよい。中部幹管に設けられた枝管における噴射部から噴射される液体の液滴の粒径は、上部幹管に設けられた枝管における噴射部から噴射される液体の液滴の粒径よりも大きくてよい。
【００１０】
中部幹管に設けられた少なくとも１つの枝管が、高さ方向において排ガス導入口と同じ高さに位置してよい。中部幹管に設けられた枝管において、主方向は、排ガス導入方向に対して０度以上１８０度以下であってよい。主方向は、排ガス導入口に対して液体を噴射する噴射部の噴射角度の中心で規定されてよい。
【００１１】
上部幹管に設けられた少なくとも１つの枝管が、高さ方向において排ガス導入口と同じ高さに位置してよい。上部幹管に設けられた枝管において、主方向は、排ガス導入方向に対して０度以上１８０度以下であってよい。主方向は、排ガス導入口に対して液体を噴射する噴射部の噴射角度の中心で規定されてよい。
【００１２】
複数の枝管のうち最も底部側に位置する枝管は、排ガス導入口の底部側と上部側との中間位置よりも上部側に位置してよい。
【００１３】
複数の枝管のうち最も底部側に位置する枝管における噴射部の主方向は、上部側に傾いていてよい。
【００１４】
複数の枝管のうち最も上部側に位置する枝管における噴射部の主方向は、底部側に傾いていてよい。
【００１５】
反応塔は、排ガス導入口の最も上部側に庇部を有してよい。
【００１６】
庇部は、排ガス導入方向に延伸してよい。上面から見た場合、庇部の少なくとも一部は、複数の枝管のうち庇部よりも上部側に位置する枝管と重なってよい。
【００１７】
庇部は、外周領域を有してよい。外周領域は、反応塔の内壁に接して設けられてよい。外周領域は、排ガス導入口の内側端部から外側端部に進むにつれて高さ方向の高さが増加してよい。
【００１８】
排ガス処理装置は、排ガス導入管をさらに備えてよい。排ガス導入管は、反応塔の外側から排ガス導入口に接続してよい。排ガス導入管は、外側側面と、内側側面とを有してよい。外側側面は、反応塔の外形の接線方向に延伸してよい。内側側面は、外側側面に対向して設けられてよい。内側側面は、反応塔の外形と交差する方向に延伸してよい。内側側面は、反応塔の内部空間に突出しないとしてよい。
【００１９】
排ガス導入管は、第１直線部と第２直線部とを有してよい。第１直線部は、高さ方向に延伸してよい。第２直線部は、高さ方向に直交する直線部を含んでよい。第２直線部は、排ガスの流路において第１直線部と排ガス導入口との間に設けられてよい。
【００２０】
なお、上記の発明の概要は、本発明の必要な特徴の全てを列挙したものではない。また、これらの特徴群のサブコンビネーションもまた、発明となりうる。
【図面の簡単な説明】
【００２１】
【図１】第１実施形態における排ガス処理装置２００の概要を示す図である。
【図２】図１のＡ‐Ａ'上面視図である。
【図３】（ａ）は、図１の第１変形例におけるＡ‐Ａ'上面視図である。（ｂ）は、枝管２２‐９Ｂと排ガス導入方向６３とが成す角度を説明する図である。（ｃ）は、枝管２２‐９Ｃと排ガス導入方向６３とが成す角度を説明する図である。
【図４】（ａ）は、図１の第２変形例におけるＡ‐Ａ'上面視図である。（ｂ）は、枝管２２‐９Ｂと排ガス導入方向６３とが成す角度を説明する図である。（ｃ）は、枝管２２‐９Ｃと排ガス導入方向６３とが成す角度を説明する図である。
【図５】図１の第３変形例におけるＡ‐Ａ'上面視図である。
【図６】第２実施形態における排ガス処理装置２１０の概要を示す図である。
【図７】第３実施形態における排ガス処理装置２２０の概要を示す図である。
【図８】第４実施形態における排ガス処理装置２３０の概要を示す図である。
【図９】（ａ）は、図８の第１変形例におけるＢ‐Ｂ'上面視図である。（ｂ）は、枝管４２‐３Ｂと排ガス導入方向６３とが成す角度を説明する図である。（ｃ）は、枝管４２‐３Ｃと排ガス導入方向６３とが成す角度を説明する図である。
【図１０】図８の第２変形例における排ガス処理装置２４０を示す図である。
【図１１】第５実施形態における排ガス処理装置２５０を示す図である。
【図１２】第６実施形態における排ガス処理装置２６０の概要を示す図である。
【図１３Ａ】第７実施形態における主方向２７の向きを説明する図である。
【図１３Ｂ】第７実施形態の変形例における主方向２６の向きを説明する図である。
【図１４】（ａ）は、第８実施形態における反応塔１０の一部を示す概要図である。（ｂ）は、（ａ）のＣ‐Ｃ'上面視図である。
【図１５】（ａ）は、図１４のＣ‐Ｃ'上面視図における第１変形例である。（ｂ）は、図１４のＣ‐Ｃ'上面視図における第２変形例である。
【図１６】第８実施形態の第２変形例における反応塔１０の一部を示す概要図である。
【図１７】第９実施形態における排ガス導入管６０の概要を示す図である。
【図１８】排ガス導入管６０の他の例を示す図である。
【発明を実施するための形態】
【００２２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００２３】
図１は、第１実施形態における排ガス処理装置２００の概要を示す図である。図１は、排ガス処理装置２００の正面視図である。図１では、排ガス処理装置２００の断面を示す。ただし、理解を容易にすることを目的として、幹管２０、枝管２２、噴射部２４、液体導入管２８およびバッフル２９は、断面ではなく側面を示す。また、反応塔１０における紙面手前の位置に設けられる排ガス導入口６２を点線により示す。
【００２４】
本例では、反応塔１０の長手方向をｚ方向とする。ｚ方向は、反応塔１０の底部１４側から上部１２側への高さ方向に等しい。ｘおよびｙ方向は、互いに垂直である。本例において、ｘ、ｙおよびｚ方向は、右手系を構成する。ｚ方向は、ｘおよびｙ方向を有する平面に対して垂直な方向である。ｚ方向は、船舶の床面に垂直な方向であってよいし、地面に垂直な方向であってもよい。ただし、ｚ方向はこれらの方向の例に限定されない。ｚ方向は、地面に平行な方向であってもよい。なお、本例において、＋ｚ方向を「上」、「上方」または「上部」と称し、−ｚ方向を「下」、「下方」、「下部」または「底部」と称する場合がある。
【００２５】
排ガス処理装置２００は、反応塔１０と、幹管２０と、複数の枝管２２と、液体導入管２８とバッフル２９と、上部液返しリング７２と、下部液返しリング７４と、レデューサ（ｒｅｄｕｃｅｒ）部８０と、煙道部９０とを備える。本例の反応塔１０および煙道部９０は、高さ方向に延伸する筒形状の内部空間１５を有する。また、本例のレデューサ部８０は、円錐台形状の内部空間を有する。本例の反応塔１０、レデューサ部８０および煙道部９０における内部空間は、共通の中心軸１１を有する。本例の中心軸１１は、ｚ方向に平行である。なお、本例の中心軸１１は、幹管２０の中心軸でもある。
【００２６】
反応塔１０は、底部１４側の側面に排ガス導入口６２を有する。排ガス導入口６２は、反応塔１０を正面視した場合に矩形の断面を有する導管であってよい。本例の排ガス導入口６２は、後述する排ガス導入管と反応塔１０との接合部である。
【００２７】
排ガスは、底部１４側に位置する排ガス導入口６２から反応塔１０へ導入される。排ガスは、船舶のエンジン等の動力装置から排出された排ガスであってよい。排ガスは、反応塔１０の内面に沿って旋回上昇するように排ガス導入口６２から反応塔１０に導入される。本例の排ガスは、反応塔１０の内部空間１５において螺旋状に旋回する。
【００２８】
レデューサ部８０は、反応塔１０よりも上方に設けられる。レデューサ部８０上には、煙道部９０が設けられる。レデューサ部８０は、異なる径を有する２つの筒を接続する継手部であってよい。レデューサ部８０は、＋ｚ方向の端部に小径部を有し、−ｚ方向の端部に大径部を有してよい。本例において、レデューサ部８０の大径部は反応塔１０に接続し、レデューサ部８０の小径部は煙道部９０に接続する。これにより、反応塔１０と煙道部９０とを直接接続することにより高さ方向において筒の内径が不連続に変化する場合と比較して、排ガス処理装置２００における圧力損失を低減することができる。排ガスは、反応塔１０の内部で液体により洗浄された後、煙道部９０から排ガス処理装置２００の外へ排出される。
【００２９】
本例の反応塔１０は、底部１４から上部１２までの高さ方向の長さが３［ｍ］であり、内径が７００［ｍｍ］である。また、本例のレデューサ部８０は高さ方向の長さが６５４［ｍｍ］であり、小径部の内径は４２０［ｍｍ］である。
【００３０】
反応塔１０の底部１４は、反応塔１０の内部で噴射された後に落下した液体を一時的に貯留する排水貯留部として機能してよい。底部１４に貯留された液体は、最終的に排水導出部１７から反応塔１０の外へ排出されてよい。
【００３１】
本例の液体導入管２８は、反応塔１０の底部１４近傍において反応塔１０の側面から内部に導入される。本例の液体導入管２８は、Ｌ字形状に屈曲した管である。本例の液体導入管２８は、中心軸１１と平行に幹管２０に水密接続される。液体導入管２８には、反応塔１０の外部からポンプ等を用いて、海水、湖水、川水またはアルカリ性の液体が導入される。液体導入管２８と幹管２０とは流体連結されており、液体導入管２８に導入された液体は幹管２０へ供給される。
【００３２】
本例のバッフル２９は、液体導入管２８に設置される。バッフル２９は、ｘ‐ｙ平面に平行な平面を有してよい。本例のバッフル２９は、幹管２０が通ることができる貫通開口を有する円板である。バッフル２９は、排ガス導入口６２よりも底部１４側に設けられる。バッフル２９は、排ガスが導入される領域と排水を貯留する領域とに、反応塔１０を区切る機能を有してよい。
【００３３】
本例の幹管２０は、反応塔１０の内部空間１５において高さ方向に延伸する。幹管２０は、液体導入管２８から供給された液体を高さ方向に搬送してよい。幹管２０には複数の枝管２２が接続される。幹管２０から枝管２２へ液体が供給されるよう、幹管２０と枝管２２とは流体連結されている。
【００３４】
複数の枝管２２は、幹管２０の外壁２１から反応塔１０の内壁１８に向けて延伸して設けられる。枝管２２の長手方向の一端は、幹管２０に溶接されてよい。本例では、同じ高さ位置に４つの枝管２２‐Ａ、２２‐Ｂ、２２‐Ｃおよび２２−Ｄが設けられる。４つの枝管２２‐Ａから２２−Ｄは、幹管２０を上面視した場合に十字を形成する。なお、図１においては枝管２２‐Ｄを省略する。
【００３５】
本例の枝管２２‐１Ａから２２‐ｎＡは、高さ方向において重なるよう設けられる。本例の枝管２２‐１Ａから２２‐ｎＡは、高さ方向において一定間隔で離間して各々異なる高さ位置に設けられる。なお、ｎは２以上の自然数である。本例においては、ｎ＝９である。枝管２２の高さ方向におけるピッチは０．２［ｍ］であってよい。枝管２２‐１Ｂから枝管２２‐ｎＢも、各々異なる高さ位置に所定のピッチだけ離間して設けられる。枝管２２‐１Ｃから枝管２２‐ｎＣおよび枝管２２‐１Ｄから枝管２２‐ｎＤも同様である。
【００３６】
少なくとも１つの枝管２２は、高さ方向において排ガス導入口６２と同じ高さに位置してよい。本例において、枝管２２‐６から枝管２２‐９は、排ガス導入口６２と同じ高さに位置する。なお、本例において、枝管２２が排ガス導入口６２と同じ高さに位置するとは、枝管２２の高さ位置が、排ガス導入口６２の高さ方向長さの範囲内に位置することを言う。本例では、排ガス導入口６２と同じ高さに位置する枝管２２から噴射される液体の噴射方向を工夫することにより、液体がエンジンへ逆流することを抑制する。
【００３７】
複数の枝管２２の各々は、噴射部２４を有する。本例では、１つの枝管２２は２つの噴射部２４を有する。なお、１つの枝管２２が有する噴射部２４の数は、２つに限定されず３つ以上であってもよい。噴射部２４は、ねじ込み手段により枝管２２に接続されてよく、溶接により枝管２２に接続されてもよい。
【００３８】
噴射部２４は、幹管２０から供給される液体を反応塔１０の内部において噴射する。噴射された液体は、細かい水滴または霧状に変化する。噴射された液体と排ガスとを気液接触させることにより、排ガス中の硫黄酸化物等は液体に吸収される。これにより、排ガスを洗浄することができる。噴射部２４は、空円錐状に液体を噴射するスプレーノズルであってよい。本例では、図１の×印を付した部分に、噴射部２４の噴射口が設けられる。
【００３９】
図２は、図１のＡ‐Ａ'上面視図である。本例はＡ‐Ａ'上面視図を示すことにより、枝管２２‐９について説明する。ただし、枝管２２‐６から枝管２２‐８も枝管２２‐９と同じ構成を有してよい。
【００４０】
排ガス処理装置２００は、反応塔１０の外側から排ガス導入口６２に接続する排ガス導入管６０を備える。本例の排ガス導入管６０は、ｙ‐ｚ平面に平行な矩形断面を有する管である。本例の排ガス導入管６０は、ｘ方向に延伸して反応塔１０の側面に接続する。排ガス導入管６０は、外側側面６４と、内側側面６６とを有する。
【００４１】
外側側面６４は、反応塔１０の円周状の外形における接線方向に延伸する。内側側面６６は、外側側面６４に対向する。また、内側側面６６は、反応塔１０の外形と交差する方向に延伸する。なお、外側側面６４と内側側面６６との間の距離は、反応塔１０の半径よりも小さくてよい。本例において、内側側面６６と反応塔１０の外形との交線における反応塔１０の接線方向と、内側側面６６とは、９０度よりも小さい所定の角度αを成す。なお、円筒形状の反応塔１０において内径および外径により規定される壁の厚みを考慮して、反応塔１０の外形は反応塔１０の外径と読み替えてもよい。内側側面６６と反応塔１０の外形との交線を、図２においては交点６１により示す。以下同様に、面同士の交線を簡易的に交点により示す場合がある。
【００４２】
本例において、内側側面６６は反応塔１０の内部空間１５に突出しない。それゆえ、本例の排ガス導入管６０は、内部空間１５における排ガスの旋回性を阻害しない点において有利である。排ガスが内部空間１５においてよく旋回するほど、気液接触が担保されるので、より確実に硫黄酸化物等を除去することができる。
【００４３】
本例では、交点６１近傍において排ガス導入管６０から内部空間１５に導入される排ガスの流れを、排ガス導入方向６３とする。本例において、排ガス導入方向６３は−ｘ方向である。本例の排ガスは、時計回りに旋回しつつｚ方向に上昇する。
【００４４】
本例の噴射部２４は、排ガスの旋回を助けるよう噴射口２３から液体を噴射する。本例の噴射部２４は、各位置において時計回り方向に液体を噴射する。具体的には、本例において、枝管２２‐９Ａの噴射部２４は、−ｘ方向に液体を噴射する。枝管２２‐９Ｂの噴射部２４は、−ｙ方向に液体を噴射する。枝管２２‐９Ｃの噴射部２４は、＋ｘ方向に液体を噴射する。枝管２２‐９Ｄの噴射部２４は、＋ｙ方向に液体を噴射する。
【００４５】
図２において、噴射部２４の噴射口２３を一の頂点とする略三角形状に液体は拡散する。本例において、頂点である噴射口２３に接続する二辺の成す角を噴射角度２５とする。噴射角度２５は、６０度以上１２０度以下であってよい。また、本例において、噴射角度２５の中心を主方向とする。つまり、本例の主方向は、噴射角度２５の二等分線である。
【００４６】
ただし、本例においては主方向２６と主方向２７とを区別して用いる。主方向２６は、排ガス導入口６２に対して液体を噴射する噴射部２４の主方向とする。これに対して、主方向２７は、排ガス導入口６２に対して液体を噴射しない噴射部２４の主方向とする。なお、主方向２６を有する噴射部２４が設けられる枝管２２は、排ガス導入口６２と同じ高さに位置する。
【００４７】
枝管２２‐９Ｂの噴射口２３は、排ガス導入口６２を向いているので主方向２６を有する。本例において、枝管２２‐９Ｂの主方向２６は、排ガス導入方向６３に対して９０度である。これに対して、主方向２６と排ガス導入口６２とが９０度よりも大きい場合には、−ｘ方向に導入される排ガスに対して、噴射された液体は＋ｘ方向のベクトル成分を有する。それゆえ、反応塔１０への排ガスの導入が邪魔されると共に、逆向きのベクトル成分の液体がエンジンへ逆流する恐れがある。本例では、主方向２６と排ガス導入方向６３とは０度以上９０度以下とすることにより、液体が排ガス導入口からエンジンへ逆流することを抑制することができる。
【００４８】
詰まる所、本例においては、排ガス導入口６２と同じ高さに位置する枝管２２であって、排ガス導入方向６３に直交し且つ反応塔１０の中心軸１１を通る仮想面１３よりも排ガス導入口６２側に位置する枝管２２に注目する。本例においては、仮想面１３よりも排ガス導入口６２側に位置する枝管２２の噴射部２４の主方向２６が、排ガス導入方向６３に対して０度以上９０度以下であれば、液体が排ガス導入口からエンジンへ逆流することを抑制することができる。
【００４９】
なお、主方向２６と排ガス導入方向６３とが９０度以下であっても、噴射角度２５の大きさによっては、一部の液体が排ガス導入方向６３に対してマイナスベクトルを有する場合もあり得る。しかしながら、一部の液体による影響は限定的であるので、本例においては考慮しないものとする。あくまで、主方向２６と排ガス導入方向６３とは０度以上９０度以下であれば上述の有利な効果が得られるとしてよい。
【００５０】
本例では、枝管２２‐９Ａ、枝管２２‐９Ｃおよび枝管２２‐９Ｄの噴射口２３は、排ガス導入口６２を向いていないとする。それゆえ、枝管２２‐９Ａ、枝管２２‐９Ｃおよび枝管２２‐９Ｄの噴射部２４は、主方向２７を有する。ただし、後述する図３および図４の例の様に、図２の例と比較して枝管２２‐９Ｃが中心軸１１の周りにおいて時計回りに所定角度β（０＜β≦９０度）だけ回転して設けられた場合は、枝管２２‐９Ｃの噴射口２３は、排ガス導入口６２を向いているとする。それゆえ、図３および図４の例においては、枝管２２‐９Ｃの噴射部２４は、主方向２６を有するとする。
【００５１】
図３（ａ）は、図１の第１変形例におけるＡ‐Ａ'上面視図である。図３（ｂ）は、枝管２２‐９Ｂと排ガス導入方向６３とが成す角度を説明する図である。図３（ｃ）は、枝管２２‐９Ｃと排ガス導入方向６３とが成す角度を説明する図である。
【００５２】
本例は、図２における枝管２２‐９Ａから２２‐９Ｄを中心軸１１の周りにおいて時計回りに３０度だけ回転した例である。本例においては、枝管２２‐９Ｂおよび枝管２２‐９Ｃの噴射口２３が、排ガス導入口６２を向いている。それゆえ、枝管２２‐９Ｂおよび枝管２２‐９Ｃの噴射部２４は、主方向２６を有する。これに対して、枝管２２‐９Ａおよび枝管２２‐９Ｄの噴射部２４は、主方向２７を有する。
【００５３】
本例において、枝管２２‐９Ｂにおける噴射部２４の主方向２６は、排ガス導入方向６３に対して６０度である。これに対して、枝管２２‐９Ｃにおける噴射部２４の主方向２６は、排ガス導入方向６３に対して１５０度である。そこで、本例においては、枝管２２‐９Ｃの噴射部２４は、液体を噴射しない。これにより、液体が排ガス導入口からエンジンへ逆流することを抑制することができる。なお、液体を噴射しない状況を図３（ａ）において太線の×により示す。
【００５４】
図４（ａ）は、図１の第２変形例におけるＡ‐Ａ'上面視図である。図４（ｂ）は、枝管２２‐９Ｂと排ガス導入方向６３とが成す角度を説明する図である。図４（ｃ）は、枝管２２‐９Ｃと排ガス導入方向６３とが成す角度を説明する図である。
【００５５】
本例は、図２の枝管２２‐９Ａから２２‐９Ｄを中心軸１１の周りにおいて時計回りに４５度だけ回転した例である。本例においても、枝管２２‐９Ｂおよび枝管２２‐９Ｃは主方向２６を有し、枝管２２‐９Ａおよび枝管２２‐９Ｄの噴射部２４は主方向２７を有する。
【００５６】
枝管２２‐９Ｂにおける噴射部２４の主方向２６は、排ガス導入方向６３に対して０度以上４５度以下であってよい。本例において、枝管２２‐９Ｂにおける噴射部２４の主方向２６は、排ガス導入方向６３に対して４５度である。これに対して、枝管２２‐９Ｃにおける噴射部２４の主方向２６は、排ガス導入方向６３に対して１３５度である。そこで、本例においては、枝管２２‐９Ｃの噴射部２４は、液体を噴射しない。これにより、液体が排ガス導入口からエンジンへ逆流することを抑制することができる。図３（ａ）と同様に、液体を噴射しない状況を図４（ａ）において太線の×により示す。
【００５７】
図５は、図１の第３変形例におけるＡ‐Ａ'上面視図である。本例は、図２の枝管２２‐９Ａから２２‐９Ｄを中心軸１１の周りにおいて時計回りに４５度だけ回転した例である。本例においても、枝管２２‐９Ｂおよび枝管２２‐９Ｃは主方向２６を有し、枝管２２‐９Ａおよび枝管２２‐９Ｄの噴射部２４は主方向２７を有する。
【００５８】
ただし、本例では、主方向２６と排ガス導入方向６３とが９０度よりも大きい場合には、噴射部２４が液体を噴射しないとすることに代えて、噴射部２４自体を設けない。本例においては、枝管２２‐９Ｃにおける噴射部２４の主方向２６は、排ガス導入方向６３に対して１３５度である。それゆえ、本例の枝管２２‐９Ｃには噴射部２４を設けない。なお、枝管２２‐９Ｃを設けないとしてもよい。
【００５９】
また、本例では、枝管２２‐６から枝管２２‐９が排ガス導入口６２と同じ高さに位置するので、枝管２２‐６Ｃ、から枝管２２‐９Ｃには、噴射部２４を設けない。これにより、高さ方向において排ガス導入口６２と同じ高さに位置する枝管２２の噴射部２４の密度を、高さ方向において排ガス導入口６２と異なる高さに位置する枝管２２の噴射部２４の密度よりも小さくする。
【００６０】
なお、本例において、枝管の噴射部の密度とは、同じ高さに設けられた枝管の噴射部の数を言う。本例において、枝管２２の噴射部２４の密度とは、同じ高さに設けられた枝管２２‐ｎＡから枝管２２‐ｎＤの噴射部２４の数を言う。さらに具体的に言えば、本例において、枝管２２‐６から枝管２２‐９における枝管２２の噴射部２４の密度は６であるが、枝管２２‐１から枝管２２‐５における枝管２２の噴射部２４の密度は８である。
【００６１】
図６は、第２実施形態における排ガス処理装置２１０の概要を示す図である。本例の幹管２０は、上部幹管３０と、中部幹管４０と、下部幹管５０とを有する。係る点において、第１実施形態と異なる。なお、上部幹管３０および中部幹管４０においても、各外壁から反応塔１０の内壁１８に向けて延伸して複数の枝管３２および複数の枝管４２が設けられる。
【００６２】
上部幹管３０は幹管２０の最も上部１２側に位置し、下部幹管５０は幹管２０の最も底部１４側に位置する。中部幹管４０は、上部幹管３０と下部幹管５０との間に位置する。内径の大きさは、下部幹管５０が最も大きく、中部幹管４０は２番目に大きく、上部幹管３０が最も小さい。
【００６３】
液体導入管２８は、下部幹管５０のみに液体を供給する。液体導入管３８および液体導入管４８は、上部幹管３０および中部幹管４０にそれぞれ接続して独立に液体を供給する。なお、上部幹管３０と中部幹管４０とは上部連結部３１により互いに固定され、中部幹管４０と下部幹管５０とは下部連結部４１により互いに物理的に固定される。
【００６４】
本例の上部幹管３０は、枝管３２‐１から枝管３２‐３を有する。枝管３２‐１から枝管３２‐３の各々は噴射部３４を有する。同様に、本例の中部幹管４０は枝管４２‐１から枝管４２‐３を有し、本例の下部幹管５０は枝管５２‐１から枝管５２‐３を有する。また、枝管４２‐１から枝管４２‐３は噴射部４４を有し、枝管５２‐１から枝管５２‐３は噴射部５４を有する。
【００６５】
下部幹管５０に設けられた枝管５２における噴射部５４から噴射される液体の液滴の粒径は、上部幹管３０に設けられた枝管３２における噴射部３４から噴射される液体の液滴の粒径よりも大きい。また、中部幹管４０に設けられた枝管４２における噴射部４４から噴射される液体の液滴の粒径は、下部幹管５０に設けられた枝管５２における噴射部５４から噴射される液体の液滴の粒径よりも小さく、かつ、上部幹管３０に設けられた枝管３２における噴射部３４から噴射される液体の液滴の粒径よりも大きい。これを実現するべく、噴射口の開口面積は、噴射部５４が最も大きく、次いで噴射部４４が大きく、噴射部３４が最も小さくてよい。
【００６６】
排ガス中の硫黄酸化物等は、底部１４側から上部１２側に向かうにつれて濃度が低減する。本例の様に、底部１４側から上部１２側に向かって噴射する液滴の大きさを小さくすることにより、液体と排気ガス中の硫黄酸化物等とが接触する確率を向上させることができる。それゆえ、液滴の大きさが高さ方向において一定の場合と比較して、より確実に排ガスを処理することができる。
【００６７】
高さ方向において排ガス導入口６２と同じ高さに位置する少なくとも１つの枝管５２が、下部幹管５０に設けられてよい。本例では、下部幹管５０の枝管５２のうち最も底部１４側に位置する枝管５２‐３が、排ガス導入口６２と同じ高さに位置する。枝管５２および噴射部５４の配置は、図２から図５において説明した枝管２２および噴射部２４と同じ配置としてよい。具体的には、枝管５２の噴射部５４における主方向２６は、排ガス導入方向６３に対して０度以上９０度以下であってよく、０度以上４５度以下であってよい。また、枝管５２‐３Ｃを設けないとすることにより、枝管５２‐３の密度を枝管５２‐１および枝管５２‐２の密度よりも小さくしてもよい。
【００６８】
本例では、噴射部３４および噴射部４４よりも粒径の大きい液体を噴射する噴射部５４の主方向が、排ガス導入方向６３に対して逆方向のベクトルを有さない。なお、液滴の体積は、液滴の質量に正比例する。それゆえ、質量が相対的に大きく排ガス流の影響を受けにくい大きな液滴が、排ガス導入口からエンジンへ逆流することを効果的に抑制することができる。
【００６９】
図７は、第３実施形態における排ガス処理装置２２０の概要を示す図である。本例では、下部幹管５０における全ての枝管５２‐１から枝管５２‐３が、排ガス導入口６２と同じ高さに位置する。枝管５２および噴射部５４の配置は、図２から図５において説明した枝管２２および噴射部２４と同じ配置としてよい。本例においても、枝管５２および噴射部５４の配置は、第３実施形態と同じであってよい。これにより、噴射部５４からの大きな液滴が排ガス導入口６２からエンジンへ逆流することを抑制することができる。
【００７０】
図８は、第４実施形態における排ガス処理装置２３０の概要を示す図である。中部幹管４０に設けられた少なくとも１つの枝管４２は、高さ方向において排ガス導入口６２と同じ高さに位置してよい。本例では、３つの枝管５２に加えて、中部幹管４０の枝管４２のうち最も底部１４側に位置する枝管４２‐３が、排ガス導入口６２と同じ高さに位置する。なお、本例において、枝管５２の構成は、第３実施形態と同じである。
【００７１】
ただし、本例において、排ガス導入口６２に対して液体を噴射する枝管４２の噴射部４４の主方向２６は、排ガス導入方向６３に対して０度以上１８０度以下である。つまり、中部幹管４０の枝管４２における噴射部４４は、主方向２６と排ガス導入方向との成す角に関わらず、液体を噴射してよい。より具体的には、噴射部４４は、主方向２６が９０度より大きく１８０度以下の場合においても液体を噴射してよい。比較対象として、図３および図４の枝管２２‐９Ｃの例を参照されたい。また、本例において排ガス導入口６２と同じ高さに位置する枝管４２は間引かなくてもよい。本例において、噴射部５４が噴射する液体の液滴の質量と比較して噴射部４４が噴射する液体の液滴の質量が小さいので、噴射部５４が噴射する液体の液滴よりも噴射部４４が噴射する液体の液滴はエンジンへ逆流しにくい。
【００７２】
本例では、下部幹管５０の枝管５２に加えて、中部幹管４０の枝管４２も排ガス導入口６２と高さ方向においてオーバーラップさせるので、幹管２０の高さ方向長さを低減することができる。これにより、第１から第４実施形態と比較して排ガス処理装置２３０の高さ方向長さを小さくすることができる。排ガス処理装置２３０は制限された空間である船舶の室内に設けられる場合があるので、排ガス処理装置２３０を小型化できることの利点は重要である。
【００７３】
図９（ａ）は、図８の第１変形例におけるＢ‐Ｂ'上面視図である。図９（ｂ）は、枝管４２‐３Ｂと排ガス導入方向６３とが成す角度を説明する図である。図９（ｃ）は、枝管４２‐３Ｃと排ガス導入方向６３とが成す角度を説明する図である。図９（ａ）においては、中部幹管４０の枝管４２‐３および噴射部４４を示す。
【００７４】
図９（ｂ）に示すように、枝管４２‐３Ｂにおける噴射部４４の主方向２６は、排ガス導入方向６３に対して４５度である。これに対して、図９（ｃ）に示すように、枝管４２‐３Ｃにおける噴射部４４の主方向２６は、排ガス導入方向６３に対して１３５度である。上述の様に、本例においては、枝管４２‐３Ｃに設けられた噴射部４４から液体を噴射させてよい。
【００７５】
図１０は、図８の第２変形例における排ガス処理装置２４０を示す図である。上部幹管３０に設けられた少なくとも１つの枝管３２は、高さ方向において排ガス導入口６２と同じ高さに位置してよい。本例では、上部幹管３０の枝管３２のうち最も底部１４側に位置する枝管３２‐３が、排ガス導入口６２と同じ高さに位置する。なお、枝管４２および枝管５２の全ては、排ガス導入口６２と同じ高さに位置する。
【００７６】
本例において、排ガス導入口６２に対して液体を噴射する噴射部３４および噴射部４４の主方向２６は、排ガス導入方向に対して０度以上１８０度以下である。つまり、噴射部３４および噴射部４４は、主方向２６と排ガス導入方向との成す角に関わらず、液体を噴射してよい。また、排ガス導入口６２と同じ高さに位置する枝管３２および枝管４２は間引かなくてもよい。これにより、本例の排ガス処理装置２４０の高さ方向長さを、第４実施形態の排ガス処理装置２３０と比較して、さらに小さくすることができる。
【００７７】
図１１は、第５実施形態における排ガス処理装置２５０を示す図である。本例の幹管２０は、上述の実施形態と異なる。本例において、上部幹管３０と中部幹管４０とは、上側継手部７６により内部空間が連結される。同様に、中部幹管４０と下部幹管５０とは、下側継手部７８により内部空間が連結される。これにより、本例の幹管２０は、上部幹管３０、中部幹管４０および下部幹管５０が高さ方向に流体連結される。なお、液体は、液体導入管２８を介して下部幹管５０の底部１４側から供給されて、上部幹管３０にまで達する。上側継手部７６および下側継手部７８は、高さ方向に進むにつれて内部空間の直径が小さくなる円錐台形状の内部空間を有してよい。係る点において、本例は図６から図１０の例と異なる。ただし、図６から図１０における枝管３２、枝管４２または枝管５２の配置を本例に適用してよいのは勿論である。
【００７８】
図１２は、第６実施形態における排ガス処理装置２６０の概要を示す図である。本例以降においては、説明を簡単にするために第１実施形態の幹管２０の構成を用いて説明する。ただし、本例以降の例に対して図１から図１１の例を適宜適用してもよい。
【００７９】
本例において、複数の枝管２２のうち最も底部１４側に位置する枝管２２は、排ガス導入口６２の底部１４側と上部１２側との中間位置６５よりも上部１２側に位置する。排ガス導入口６２の高さ方向長さを２つのＬｚにより示す。中間位置６５は、２つのＬｚの中間に位置する。これにより、枝管２２を排ガス導入口６２の中間位置６５から底部１４側までの間に枝管２２を設ける場合と比較して、排ガスと液体との気液接触をより十分に担保することができる。なお、本例の枝管２２の数は、図１の例の枝管の数よりも少なくした。
【００８０】
図１３Ａは、第７実施形態における主方向２７の向きを説明する図である。図示するように、本例では、最も上部１２側に位置する枝管２２における噴射部２４の主方向２７は、底部１４側に傾いている。本例において、最も上部１２側に位置する枝管２２‐１は、排ガス導入口６２よりも高い位置にある。それゆえ、枝管２２‐１に設けられた噴射部２４の主方向は、主方向２６ではなく主方向２７と記載する。噴射部２４‐１の主方向２７は、上部液返しリング７２または下部液返しリング７４にかからない程度に底部１４側に傾けてよい。
【００８１】
噴射された液体は、硫黄酸化物等を吸収しているので、煙道部９０から外に放出されないことが望ましい。本例では、最も上部１２側の噴射部２４の噴射口２３が底部１４側を向くので、煙道部９０から排ガス処理装置の外に液体が放出されるのを抑制することができる。なお、図示しないが、枝管２２‐１よりも底部１４側の枝管２２‐２および枝管２２‐３等に設けられた噴射部２４の主方向２６または主方向２７は、ｘ‐ｙ平面と平行であってよい。
【００８２】
図１３Ｂは、第７実施形態の変形例における主方向２６の向きを説明する図である。図示するように、本例では、最も底部１４側に位置する枝管２２における噴射部２４の主方向２６は、上部１２側に傾いている。本例において、最も底部１４側に位置する枝管２２‐９は、排ガス導入口６２と同じ高さ位置に位置する。それゆえ、枝管２２‐９Ｂに設けられた噴射部２４の主方向は、主方向２６と記載する。本例では、最も底部１４側の噴射部２４の噴射口２３が上部１２側を向くので、第１から第６実施形態と比較して、排ガスの旋回性をさらに向上させることができる。
【００８３】
図１４（ａ）は、第８実施形態における反応塔１０の一部を示す概要図である。図１４（ｂ）は、図１４（ａ）のＣ‐Ｃ'上面視図である。図１４（ａ）に示すように、本例の反応塔１０は、排ガス導入口６２の最も上部１２側に庇部１００を有する。庇部１００は、排ガス導入方向６３に延伸する板部材である。係る点において第１から第７実施形態と異なる。なお、本例を第１から第７実施形態に適用してよいのは勿論である。
【００８４】
図１４（ｂ）に示すように、庇部１００は、反応塔１０の内部に設けられる。庇部１００は、反応塔１０の内壁１８に接して設けられた外周領域１１２を有する。外周領域１１２は、排ガス導入管６０と反応塔１０の外形との接合部であってよい。本例の外周領域１１２は、反応塔１０の内壁１８と共形の円弧形状である。本例の外周領域１１２は、反応塔１０の外形と内側側面６６との交点６１から、反応塔１０の外形と外側側面６４との交点１６２までにおける円弧形状である。
【００８５】
庇部１００は、反応塔１０の内壁１８から内部空間１５へ突出する。本例において、内壁１８から突出する庇部１００の先端領域を内側領域１１４とする。本例の内側領域１１４は、外周領域１１２の両端を結ぶ直線領域でもある。
【００８６】
上述の様に、排ガス導入口６２と同じ高さに位置する枝管２２において、排ガス導入口６２に対して液体を噴射する噴射部２４の主方向２６を排ガス導入方向６３に対して９０度以下とする。これに対して、排ガス導入口６２と異なる高さに位置する枝管２２の噴射部２４の主方向２７は、排ガス導入方向６３に対して９０度よりも大きい場合がある。この場合、主方向２７は、排ガス導入方向６３に対して逆方向のベクトルを有する場合がある。
【００８７】
そこで、本例では、庇部１００を設ける。これにより、庇部１００よりも上に位置する噴射部２４から噴射された液体のうち、排ガス導入方向６３に対して逆方向のベクトルを有する液体が、排ガス導入管６０に入ることを抑制することができる。また、庇部１００は、内壁１８を伝って大粒径に成長した液体が排ガス導入管６０に入ることを防止することもできる。
【００８８】
図１５（ａ）は、図１４のＣ‐Ｃ'上面視図における第１変形例である。図１５（ｂ）は、図１４のＣ‐Ｃ'上面視図における第２変形例である。図１５（ａ）および図１５（ｂ）の例は、庇部１００の形状が図１４の例と異なる。なお、図１５（ｂ）は、図１５（ａ）の枝管２２を中心軸１１の周りにおいて時計回りに４５度だけ回転した例である。
【００８９】
庇部１００の少なくとも一部は、庇部１００よりも上部１２側に位置する枝管２２と上面から見た場合に重なってよい。本例において、上面から見るとは、上部１２から底部１４の向きに見ることを意味する。本例において、庇部１００は枝管２２‐５と枝管２２‐６との間に位置する。本例の庇部１００の一部は、枝管２２‐５Ａと上面から見た場合において重なる。
【００９０】
本例の外周領域１１２は、反応塔１０の外形と内側側面６６との交点６１から、反応塔１０の外形と外側側面６４との交点１６２よりも更に時計回りに進んだ位置１６４までにおける円弧形状である。これにより、庇部１００を上面視した場合の庇部１００の面積は、第９実施形態と比較して大きい。したがって、第９実施例よりもさらに効果的に液体が排ガス導入管６０に入ることを防止することができる。
【００９１】
図１６は、第８実施形態の第２変形例における反応塔１０の一部を示す概要図である。庇部１００の外周領域１１２は、排ガス導入口６２の内側端部から外側端部に進むにつれて高さ方向の高さが増加してよい。本例において、内側端部とは、内側側面６６の最も上部１２側の端部である。また、本例において、外側端部とは、外側側面６４の最も上部１２側の端部である。なお、他の例においては、外側端部は位置１６４であってもよい。
【００９２】
本例において、任意のｘ方向における外周領域１１２および内側領域１１４の高さは同じであってよい。本例の外周領域１１２の高さは、交点６１から交点１６２に向けて単調増加する。なお、他の例においては、排ガスの旋回に対応するように、外周領域１１２の高さは、交点６１から交点１６２に向けて増加する内壁に沿った円弧状であってもよい。
【００９３】
本例では、側面視した場合における庇部１００の中心軸１１側の高さ（交点６１）を相対的に低くすることにより、反応塔１０に導入される排ガスの旋回性を助長することができる。なお、他の例においては、本例を図１６の例に適用してもよい。その場合、外周領域１１２の高さは、交点６１から位置１６４に向けて増加してよい。
【００９４】
図１７は、第９実施形態における排ガス導入管６０の概要を示す図である。排ガス導入管６０は、第１直線部６８と、第２直線部６９とを有してよい。第１直線部６８は、高さ方向に延伸して設けられてよい。第２直線部６９は、排ガスの流路において第１直線部６８と排ガス導入口６２との間に設けられてよい。第２直線部６９は、高さ方向に直交する直線部を含んでよい。本例の第２直線部６９は、底部１４側において第１直線部６８と接続する。
【００９５】
本例の排ガス導入管６０は、いわゆる逆Ｌ字形状を有する。それゆえ、第１直線部６８が上部１２側において第２直線部６９と接続する場合と比較して、噴射された液体がエンジンに逆流しやすくなる恐れがある。そこで、本例の排ガス導入管６０を用いる場合は、図１から図１６における記載の主方向２６および噴射部２４の構成ならびに庇部１００の構成を適用してよい。これにより、液体がエンジンに逆流することを抑制してよい。
【００９６】
図１８は、排ガス導入管６０の他の例を示す図である。本例の第２直線部６９は、上部１２側において第１直線部６８と接続する。つまり、本例の排ガス導入管６０は、反応塔１０と接続する位置の近傍において、Ｌ字形状を有する。係る点において、第９実施形態と異なる。なお、第１直線部６８よりも排ガスの上流側において、排ガス導入管６０の構成は適宜定めてよい。
【００９７】
本例の排ガス導入管６０は、排ガスの上流から下流の順に、第４直線部１６９、第３直線部１６８、第５直線部１６７、第１直線部６８および第２直線部６９を有する。第３直線部１６８は、第１直線部６８と同様に高さ方向に延伸する。第４直線部１６９は、第３直線部１６８の底部１４側において高さ方向に直交する直線部を含む。第５直線部１６７は、第１直線部６８および第３直線部１６８の間に設けられる。第５直線部１６７は、第１直線部６８および第３直線部の上部１２側において高さ方向に直交する直線部を含む。これにより、排ガスの流路において、高さ方向において上に凸状の部分が設けられる。
【００９８】
本例の排ガス導入管６０は、第１直線部６８の高さ方向長さが液体の逆流を防ぐ壁として機能する。それゆえ、第９実施形態と比較して、排ガス導入管６０の構成自体により、液体の逆流を抑制することができる。なお、図１から図１６における記載の主方向２６および噴射部２４の構成ならびに庇部１００の構成を適用してよいのは勿論である。
【００９９】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【０１００】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順序で実施することが必須であることを意味するものではない。
【符号の説明】
【０１０１】
１０・・反応塔、１１・・中心軸、１２・・上部、１３・・仮想面、１４・・底部、１５・・内部空間、１７・・排水導出部、１８・・内壁、２０・・幹管、２１・・外壁、２２・・枝管、２３・・噴射口、２４・・噴射部、２５・・噴射角度、２６・・主方向、２７・・主方向、２８・・液体導入管、２９・・バッフル、３０・・上部幹管、３１・・上部連結部、３２・・枝管、３４・・噴射部、３８・・液体導入管、４０・・中部幹管、４１・・下部連結部、４２・・枝管、４４・・噴射部、４８・・液体導入管、５０・・下部幹管、５２・・枝管、５４・・噴射部、６０・・排ガス導入管、６１・・交点、６２・・排ガス導入口、６３・・排ガス導入方向、６４・・外側側面、６５・・中間位置、６６・・内側側面、６８・・第１直線部、６９・・第２直線部、７２・・上部液返しリング、７４・・下部液返しリング、７６・・上側継手部、７８・・下側継手部、８０・・レデューサ部、９０・・煙道部、１００・・庇部、１１２・・外周領域、１１４・・内側領域、１６２・・交点、１６４・・位置、１６７・・第５直線部、１６８・・第３直線部、１６９・・第４直線部、２００・・排ガス処理装置、２１０・・排ガス処理装置、２２０・・排ガス処理装置、２３０・・排ガス処理装置、２４０・・排ガス処理装置、２５０・・排ガス処理装置、２６０・・排ガス処理装置
【図１】
2019076799.tif 000003
【図２】
2019076799.tif 000004
【図３】
2019076799.tif 000005
【図４】
2019076799.tif 000006
【図５】
2019076799.tif 000007
【図６】
2019076799.tif 000008
【図７】
2019076799.tif 000009
【図８】
2019076799.tif 000010
【図９】
2019076799.tif 000011
【図１０】
2019076799.tif 000012
【図１１】
2019076799.tif 000013
【図１２】
2019076799.tif 000014
【図１３Ａ】
2019076799.tif 000015
【図１３Ｂ】
2019076799.tif 000016
【図１４】
2019076799.tif 000017
【図１５】
2019076799.tif 000018
【図１６】
2019076799.tif 000019
【図１７】
2019076799.tif 000020
【図１８】
2019076799.tif 000021